(57)【特許請求の範囲】
【請求項１】
被取付部材の取付孔に取付手段を介して装着される枠状のベース部材と、該ベース部材に回動可能に取付けられたフック部材とを備え、
前記ベース部材は、前記被取付部材の取付孔の表側周縁に係合するフランジ部と、前記取付孔の内周に適合するように前記フランジ部の背面から突出する周壁とを有し、
前記フック部材は、前記ベース部材に回動可能に支持される回動部と、該回動部に連設され、前記回動部の回動に伴って前記ベース部材の前面開口から出没する引掛け部と、該引掛け部が前記ベース部材の前面開口から突出したときに、前記周壁に係合する第１係合部と、前記引掛け部が前記ベース部材の背面側に収容されたときに、前記周壁に係合する第２係合部とを有しており、
前記周壁の両側辺部には、前記フック部材の回動部を回動支持する回動支持部と、前記第１係合部が当接する第１回動規制部と、前記第２係合部が当接する第２回動規制部と、前記第１係合部が前記第１回動規制部に当接した際に、前記第１係合部が着脱可能に嵌合する第１保持部と、前記第２係合部が前記第２回動規制部に当接した際に、前記第２係合部が着脱可能に嵌合する第２保持部とが設けられていることを特徴とするフック装置。
【請求項２】
前記ベース部材は、前記周壁の内側に表面側から背面側に貫通する貫通孔を有し、前記フック部材が回動して前記ベース部材の背面側に最大限突出した状態で、前記周壁の背面側への突出高さは、前記フック部材よりも低くなるように構成されている請求項１記載のフック装置。
【請求項３】
前記第１回動規制部及び前記第２回動規制部は、前記周壁の背面側の端面に設けられている請求項１又は２記載のフック装置。
【請求項４】
前記周壁は、その両側辺部に、背面側に更に高く突出した突出壁部を有しており、前記第１回動規制部及び前記第２回動規制部は、前記周壁の前記突出壁部に隣接する端面に設けられており、前記第１係合部又は前記第２係合部は突起状をなし、前記第１保持部及び前記第２保持部は、前記第１係合部又は前記第２係合部が対応する前記第１回動規制部又は前記第２回動規制部に係合したときに、前記周壁の端面との間に、それぞれの係合部を挟み込むように、前記突出壁部の対応する端部に設けられた保持突部で構成されている請求項３記載のフック装置。
【請求項５】
前記第１保持部及び第２保持部は、前記突出壁部に設けられた抜き孔により弾性が付与された弾性壁部に前記保持突部が形成されて構成されている請求項４記載のフック装置。
【請求項６】
前記フック部材の回動部は、前記フック部材の両側から突設された断面円形状の軸部を有しており、
前記ベース部材の回動支持部は、前記軸部が嵌合するように、前記周壁に設けられた孔部を有しており、該孔部は、前記ベース部材の表面側が、前記軸部が適合する円弧状をなし、前記ベース部材の背面側が広がって前記軸部の外径が適合する長さで伸びる異形孔状をなしている請求項１〜５のいずれか１つに記載のフック装置。
【請求項７】
前記ベース部材の周壁の、前記回動支持部をなす内面には、前記孔部から前記ベース部材の背面側に向かって次第に肉薄となる傾斜面が形成されている請求項６記載のフック装置。
【請求項８】
前記ベース部材の前記回動支持部は、前記周壁の対向する両側辺部の中央よりも一方の端部に偏位して配置され、前記第１係合部が係合する前記第１回動規制部は、前記回動支持部に対して前記一方の端部と反対側の端部に近接して設けられ、前記第２係合部が係合する前記第２回動規制部は、前記回動支持部に対して前記一方の端部に近接して設けられ、前記第１係合部は、前記第２係合部よりも長い形状で前記両側辺部に沿って係合するように構成されている請求項１〜７のいずれか１つに記載のフック装置。
【発明の詳細な説明】
【技術分野】
【０００１】
本発明は、車両等に取付けられるフック装置に関する。
【背景技術】
【０００２】
例えば、車両室内に設置されたシートの背面や側面、荷室の床面やトランク内には、買物袋やレジ袋、バッグ、紐、ロープ等を引き掛けるためのフック装置が設けられている。このようなフック装置としては、見栄えや使用者の利便性の観点から、フックを出没可能な回転式フック装置が広く用いられている。【０００３】
例えば、下記特許文献１には、有底箱状のハウジングと、該ハウジングの格納室内に回動支持されるフックとを備えた格納式小物掛けが記載されている。ハウジングの格納室底部には、コ字状のスリットを介して撓み可能な弾性舌片と、該弾性舌片の両側に形成された、突起状の一対のストッパー片と、前記弾性舌片に突設されたカム山とが形成され、フックは、小物掛け部と、Ｖ字状のアーム部と、フック下端縁に設けられた規制壁と、アーム部と規制壁との間に設けられた突出部とを有している。また、フックのアーム部が、ハウジングの一対のストッパー片及びカム山の間に挟持されることで、ハウジングの格納室に、フックの小物掛け部が格納された状態に保持されるようになっている。
【先行技術文献】
【特許文献】
【０００４】
【特許文献１】特開２００３−３２５２６７号公報
【発明の概要】
【発明が解決しようとする課題】
【０００５】
上記特許文献１の小物掛けでは、一対のストッパー片が、ハウジングの底部にコ字状スリットを介して弾性舌片の両側に設けられているため、設置スペースに余裕がなく、比較的肉薄の突起状となるため、剛性を確保しにくい。そのため、フックの引き掛け部に大きな荷重が作用して、一対のストッパー片に高い押圧力が加わると、一対のストッパー片が損傷するおそれがあった。【０００６】
したがって、本発明の目的は、フック部材の引掛け部にかかる荷重に対する強度（耐荷重性）を高めることができる、フック装置を提供することにある。
【課題を解決するための手段】
【０００７】
上記目的を達成するため、本発明のフック装置は、被取付部材の取付孔に取付手段を介して装着される枠状のベース部材と、該ベース部材に回動可能に取付けられたフック部材とを備え、前記ベース部材は、前記被取付部材の取付孔の表側周縁に係合するフランジ部と、前記取付孔の内周に適合するように前記フランジ部の背面から突出する周壁とを有し、前記フック部材は、前記ベース部材に回動可能に支持される回動部と、該回動部に連設され、前記回動部の回動に伴って前記ベース部材の前面開口から出没する引掛け部と、該引掛け部が前記ベース部材の前面開口から突出したときに、前記周壁に係合する第１係合部と、前記引掛け部が前記ベース部材の背面側に収容されたときに、前記周壁に係合する第２係合部とを有しており、前記周壁の両側辺部には、前記フック部材の回動部を回動支持する回動支持部と、前記第１係合部が当接する第１回動規制部と、前記第２係合部が当接する第２回動規制部と、前記第１係合部が前記第１回動規制部に当接した際に、前記第１係合部が着脱可能に嵌合する第１保持部と、前記第２係合部が前記第２回動規制部に当接した際に、前記第２係合部が着脱可能に嵌合する第２保持部とが設けられていることを特徴とする。
【０００８】
本発明のフック装置においては、前記ベース部材は、前記周壁の内側に表面側から背面側に貫通する貫通孔を有し、前記フック部材が回動して前記ベース部材の背面側に最大限突出した状態で、前記周壁の背面側への突出高さは、前記フック部材よりも低くなるように構成されていることが好ましい。【０００９】
本発明のフック装置においては、前記第１回動規制部及び前記第２回動規制部は、前記周壁の背面側の端面に設けられていることが好ましい。【００１０】
本発明のフック装置においては、前記周壁は、その両側辺部に、背面側に更に高く突出した突出壁部を有しており、前記第１回動規制部及び前記第２回動規制部は、前記周壁の前記突出壁部に隣接する端面に設けられており、前記第１係合部又は前記第２係合部は突起状をなし、前記第１保持部及び前記第２保持部は、前記第１係合部又は前記第２係合部が対応する前記第１回動規制部又は前記第２回動規制部に係合したときに、前記周壁の端面との間に、それぞれの係合部を挟み込むように、前記突出壁部の対応する端部に設けられた保持突部で構成されていることが好ましい。【００１１】
本発明のフック装置においては、前記第１保持部及び第２保持部は、前記突出壁部に設けられた抜き孔により弾性が付与された弾性壁部に前記保持突部が形成されて構成されていることが好ましい。【００１２】
本発明のフック装置においては、前記フック部材の回動部は、前記フック部材の両側から突設された断面円形状の軸部を有しており、前記ベース部材の回動支持部は、前記軸部が嵌合するように、前記周壁に設けられた孔部を有しており、該孔部は、前記ベース部材の表面側が、前記軸部が適合する円弧状をなし、前記ベース部材の背面側が広がって前記軸部の外径が適合する長さで伸びる異形孔状をなしていることが好ましい。【００１３】
本発明のフック装置においては、前記ベース部材の周壁の、前記回動支持部をなす内面には、前記孔部から前記ベース部材の背面側に向かって次第に肉薄となる傾斜面が形成されていることが好ましい。【００１４】
本発明のフック装置においては、前記ベース部材の前記回動支持部は、前記周壁の対向する両側辺部の中央よりも一方の端部に偏位して配置され、前記第１係合部が係合する前記第１回動規制部は、前記回動支持部に対して前記一方の端部と反対側の端部に近接して設けられ、前記第２係合部が係合する前記第２回動規制部は、前記回動支持部に対して前記一方の端部に近接して設けられ、前記第１係合部は、前記第２係合部よりも長い形状で前記両側辺部に沿って係合するように構成されていることが好ましい。
【発明の効果】
【００１５】
本発明によれば、フック部材が回動して、その引掛け部がベース部材の前面開口から突出したときに、フック部材の第１係合部が、肉厚を確保しやすく剛性を高く保持できる、周壁の両側辺部の第１回動規制部に係合すると共に、同周壁の両側辺部には、更にフック部材の回動部を回動支持する回動支持部が設けられているため、引掛け部にかかる荷重に対する強度を高めることができる。
【図面の簡単な説明】
【００１６】
【図１】本発明に係るフック装置の一実施形態を示す分解斜視図である。
【図２】同フック装置を背面側から見たときの分解斜視図である。
【図３】同フック装置の斜視図である。
【図４】同フック装置を背面側から見たときの斜視図である。
【図５】同フック装置において、フック使用時の状態を示す説明図である。
【図６】同フック装置において、フック収容時の状態を示す説明図である。
【図７】同フック装置において、取付孔の他構造を示す斜視図である。
【図８】図７の取付孔にフック装置を取付けた状態を示す背面斜視図である。
【図９】本発明に係るフック装置の他の実施形態を示す斜視図である。
【図１０】同フック装置を構成するベース部材の背面斜視図である。
【発明を実施するための形態】
【００１７】
以下、図１〜８を参照して、本発明に係るフック装置の一実施形態について説明する。
【００１８】
図１及び図２に示すように、この実施形態のフック装置１０は、被取付部材１に形成された取付孔３に、取付手段を介して装着される枠状のベース部材２０と、該ベース部材２０に回動可能に取付けられたフック部材５０とを備えている。
【００１９】
前記被取付部材１としては、車両の座席シートのフレームや、車室や荷室の側面パネル、床面パネル等が挙げられ、特に限定されない。この実施形態の被取付部材１は、車両の高さ方向に沿って所定角度で設置されている。また、前記取付孔３は長孔状をなし、その下端には切欠き部３ａが形成されている。なお、図７に示すように、取付孔３には、その裏側から、取付孔３の周縁に沿って所定高さで突出した枠状の補強壁５を設けてもよい。
【００２０】
前記フック部材５０は、厚肉板状をなし、前記ベース部材２０に回動可能に支持される回動部５１を有している。この回動部５１の基端部正面側からは、回動部５１の先端部側に向けて、略Ｌ字状に屈曲した引掛け部５３が連設されており、回動部５１の回動に伴って、ベース部材２０の前面開口から出没するようになっている。なお、引掛け部５３は、略Ｕ字状やコ字状等であってもよく、更にはループ状をなしていてもよく、袋の持ち手やロープ等を引掛け可能であればよい。
【００２１】
前記回動部５１の基端部側の両側面からは、断面円形状をなした軸部５５，５５がそれぞれ突設されている。各軸部５５の先端の正面側には、前記引掛け部５３に向けて次第に低くなるように傾斜するテーパ面５５ａが形成されている（図１，２，４参照）。
【００２２】
図２に示すように、回動部５１の先端部（引掛け部５３と反対側の端部）の背面両側からは、細長く伸びた突条の第１係合部５７，５７が突設されている。一方、回動部５１の基端部の背面からは、引掛け部５３とは反対側に伸びる突出部５８が形成されている。また、この突出部５８の先端部であって、回動部背面に近接した部分の両側縁からは、前記第１係合部５７よりも短い、突起状の第２係合部５９，５９がそれぞれ突設されている。前記第１係合部５７は、引掛け部５３がベース部材２０の前面開口から突出したときに、ベース部材２０の背面側に係合し（図４及び図５参照）、前記第２係合部５９は、引掛け部５３がベース部材２０の背面側に収容されたときに、ベース部材２０の背面側に係合する（図６参照）。なお、第１係合部５７及び第２係合部５９の形状や、設ける位置は、特に限定されない。
【００２３】
図１及び図２に示すように、ベース部材２０は、長孔状の取付孔３の表側周縁に係合する、矩形環状のフランジ部２１を有しており、更に、このフランジ部２１の背面内周縁から、取付孔３の内周に適合するように周壁が突出しており、ベース部材２０全体として底部を有さず、周壁の内側に表面側から背面側に貫通する貫通孔２２を有する、長枠状をなしている（図２参照）。
【００２４】
この実施形態におけるベース部材２０の周壁は、対向して配置された一対の両側辺部２３，２３と、これらの両側辺部２３，２３よりも短い両側辺部２４，２４とから構成されている。なお、対向する一対の両側辺部２４，２４が、被取付部材１の上下方向に配置されるようになっている（図１及び図２参照）。
【００２５】
図２及び図４に示すように、周壁の上方側の側辺部２４の背面からは、円弧状に湾曲した形状の引掛け片２５が延出し、周壁の下方側の側辺部２４の背面からは、板状片２７ａを介して係合片２７が延出している。前記引掛け片２５が取付孔３の裏側上縁部に引掛り、前記係合片２７が切欠き部３ａの裏側周縁に係合し、取付孔３にベース部材２０が装着されるようになっている（図４及び図５参照）。すなわち、この引掛け片２５及び係合片２７が、本発明におけるベース部材の「取付手段」をなしている。なお、上記引掛け片２５や係合片２７は、上記構造に限定されるものではない。また、取付手段としては、上記のような引き掛け片２５や係合片２７による係合構造に限らず、被取付部材１にネジ止めする構造等であってもよい。
【００２６】
図２に示すように、枠状をなした周壁の、対向する一対の両側辺部２３，２３の端面からは、背面側に更に高く突出した突出壁部３０がそれぞれ突出している。各突出壁部３０は、側辺部２３の中央よりも一方の端部に偏位して配置されており、その両側部の端面のうち、長い方の端面が、フック部材５０の第１係合部５７が係合する第１回動規制部２３ａをなし（図５参照）、短い方の端面が、フック部材５０の第２係合部５９が係合する第２回動規制部２３ｂをなしている（図６参照）。
【００２７】
また、図６に示すように、フック部材５０が回動して、ベース部材２０の背面側に最大限突出した状態で、周壁の背面側への突出高さ、すなわち、各突出壁部３０の、フランジ部２１からの突出高さＨは、フック部材５０の上記最大突出高さよりも低くなるように構成されている。
【００２８】
更に、各突出壁部３０には、フック部材５０の回動部５１を回動支持する回動支持部が設けられている。図１及び図２に示すように、この実施形態における回動支持部は、一対の突出壁部３０，３０及び両側辺部２３，２３の、下方寄りの部分に設けられた孔部３１，３１を有している。これらの孔部３１，３１に、フック部材５０の軸部５５，５５が嵌合して回動支持されて、ベース部材２０に対してフック部材５０が回動可能に取付けられる。なお、フック部材側に孔部を設けて、ベース部材側に軸部を設けて、ベース部材にフック部材を回動可能に取付けてもよい。
【００２９】
図４〜６に示すように、各孔部３１は、前記フランジ部２１側の前面３１ａが、断面円形状の軸部５５に適合する円弧状をなすと共に、対向する一対の側面３１ｂ，３１ｂが背面３１ｃ側に向けて次第に広がるテーパ状をなし、背面３１ｃ側が前面３１ａよりも広がった、略カマボコ形の異形孔状をなしている。孔部３１の前面３１ａの先端から背面３１ｃに至る内径は、軸部５５の外径に適合する長さとされている。それによって、背面３１ｃ側が広がっていても、軸部５５は、円弧状の前面３１ａに当接するため、円弧状の前面３１ａによってスムーズな回転が確保される。また、孔部３１の前面３１ａの先端から背面３１ｃに至る内径は、軸部５５の外径に適合する長さとされているため、フック部材５０に荷重がかかっても、軸部５５が孔部３１から外れにくく、フック部材５０にかかる荷重に対する強度を高めることができる。なお、この実施形態の孔部３１は、突出壁部３０及び側辺部２３に亘って形成されているが（図４参照）、突出壁部３０又は側辺部２３にのみ形成してもよい。また、孔部３１は、丸孔等であってもよく、特に限定はされない。
【００３０】
また、図２に示すように、各突出壁部３０の内面であって、前記孔部３１の背面３１ｃに隣接した位置からは、突出壁部３０の背面側に向かって、同突出壁部３０を次第に肉薄とする傾斜面３２がそれぞれ形成されている。
【００３１】
各突出壁部３０の上下両側部には、抜き孔３３ａ，３４ａが設けられており、該抜き孔３３ａ，３４ａを介して、湾曲した形状をなすと共に弾性が付与された、第１枠状壁３３及び第２枠状壁３４がそれぞれ形成されている。これらの第１枠状壁３３，第２枠状壁３４の、側辺部２３の端面寄りの外周面には、両側部が傾斜した山形状をなした第１保持突部３５，第２保持突部３６がそれぞれ突設されている。また、抜き孔３３ａが抜き孔３４ａよりも大きく形成されており、第１枠状壁３３の方が、第２枠状壁３４よりも弾性が高く撓みやすい構造となっている。
【００３２】
そして、引掛け部５３がベース部材２０の前面開口から突出する方向に、フック部材５０を回動させると、第１係合部５７が第１保持突部３５に当接して第１枠状壁３３を撓ませ、同第１係合部５７が第１保持突部３５を乗り越えて第１回動規制部２３ａに係合すると、第１枠状壁３３が弾性復帰して、第１保持突部３５がクリック感を伴って着脱可能に第１係合部５７に嵌合し、第１保持突部３５と第１回動規制部２３ａとの間に第１係合部５７が挟み込まれる（図５参照）。
【００３３】
一方、引掛け部５３がベース部材２０の背面側に収容される方向に、フック部材５０を回動させると、第２係合部５９が第２保持突部３６に当接して第２枠状壁３４を撓ませ、同第２係合部５９が第２保持突部３６を乗り越えて第２回動規制部２３ｂに係合すると、第２枠状壁３４が弾性復帰して、第２保持突部３６がクリック感を伴って着脱可能に第２係合部５９に嵌合し、第２保持突部３６と第２回動規制部２３ｂとの間に第２係合部５９が挟み込まれる（図６参照）。
【００３４】
すなわち、この実施形態では、第１枠状壁３３及び第１保持突部３５が、本発明における「第１保持部」をなし、第２枠状壁３４及び第２保持突部３６が、本発明における「第２保持部」をなしている。
【００３５】
なお、上記実施形態におけるベース部材２０は、フランジ部２１の背面周縁から突出した周壁の両側辺部２３，２３から、一対の突出壁部３０，３０が突出しているが、フランジ部２１の背面周縁から、一対の突出壁部３０，３０を直接突出させた構造としてもよい（この場合、突出壁部３０が、本発明における「周壁の両側辺部」をなす）。
【００３６】
また、上記実施形態では、突出壁部３０の両側部に、抜き孔３３ａ，３４ａを介して枠状壁３３，３４が設けられているが、突出壁部３０の両側部を抜き孔のない中実形状とし、その両側部外周に第１，第２保持突部３５，３６を設けてもよい。更に、突出壁部３０の両側部に、スリットを介して撓み可能な側壁部を形成し、これらの側壁部外周に第１，第２保持突部３５，３６を設けてもよい。また、フック部材５０の第１，第２係合部５７，５９に嵌合する第１，第２保持部としては、上記実施形態の第１，第２保持突部３５，３６のような突起に限定されず、凹状をなしていてもよい。
【００３７】
次に上記構成からなるフック装置１０の使用方法及び作用効果について説明する。
【００３８】
まず、ベース部材２０とフック部材５０との組付け方法について説明する。すなわち、図２に示すように、ベース部材２０の背面側開口に、フック部材５０の引掛け部５３を配置すると共に、各軸部５５のテーパ面５５ａ，５５ａを、一対の突出壁部３０，３０の傾斜面３２，３２に概ね整合させ、その状態で、ベース部材２０の背面開口側から、フック部材５０を正面側に向けて押し込んでいく。
【００３９】
すると、各軸部５５のテーパ面５５ａが各突出壁部３０の傾斜面３２に当接して、一対の突出壁部３０，３０を押し広げて外方に向けてやや撓ませると共に、各軸部５５が傾斜面３２，３２を介して案内されながら、フック部材５０が押し込まれていく。そして、両軸部５５，５５が孔部３１，３１に入り込むと、一対の突出壁部３０，３０が弾性復帰して、孔部３１，３１に軸部５５，５５が嵌合して、ベース部材２０にフック部材５０を回動可能に取付けることができる（図３及び図４参照）。
【００４０】
このとき、各突出壁部３０の内面に、突出壁部背面側に向かって、突出壁部３０を次第に肉薄とする傾斜面３２がそれぞれ形成されているので、ベース部材２０の突出壁部３０の背面側からフック部材５０の軸部５５を押し込むときに、軸部５５が傾斜面３２によって案内されるため、軸部５５を孔部３１にスムーズに挿入することができ、ベース部材２０に対するフック部材５０の取付作業性を向上させることができる。
【００４１】
また、フック部材５０の軸部５５にもテーパ面５５ａが形成されているので、フック部材５０の押込み時に、突出壁部３０の傾斜面３２に広い接触面積で当接し、一対の突出壁部３０，３０を押し広げやすくすると共に、ガイド性を高めて、フック部材５０をスムーズに押し込むことができる。
【００４２】
更に、ベース部材２０は全体として底部を有さず、周壁の内側に表面側から背面側に貫通する貫通孔２２を有しているため、フック部材５０の押込み時に、一対の突出壁部３０，３０が撓みやすくなり、ベース部材２０に対するフック部材５０の取付作業性を向上させることができる。
【００４３】
また、ベース部材２０に設けられた孔部３１は、その背面３１ｃ側が広がった異形孔状をなすので、突出壁部３０の背面３１ｃ側から軸部５５を挿入しやすくなり、ベース部材２０に対するフック部材５０の取付作業性を向上させることができる。
【００４４】
上記のようにして組付けられたフック装置１０は、被取付部材１の表側から、取付孔３に対して引掛け片２５を斜めに挿入して、取付孔３の裏側上縁部に引っ掛けた後、取付孔３に対してフック装置１０全体を押し込むことで、係合片２７を切欠き部３ａの裏側周縁に係合させると共に、取付孔３の表側周縁にフランジ部２１が係合して、取付孔３にフック装置１０を取付けることができる。
【００４５】
なお、図７に示すように、取付孔３の裏側周縁に沿って枠状の補強壁５が突設されている場合には、図８に示すように、フック装置１０のベース部材２０の周壁２３や、一対の突出壁部３０，３０、フック部材５０の引掛け片２５や、係合片２７等の外周がカバーされるので、それらの取付部の強度を高めることできる。したがって、フック部材５０に大きな荷重が付与したり、フック装置１０全体に衝撃力等が作用したりしても、上記取付部が破損することを防止することができ、取付孔３に対してフック装置１０を強固に取付けることができる。
【００４６】
そして、フック部材５０の引掛け部５３に、袋や荷物等を引掛けたい場合には、引掛け部５３が、ベース部材２０の前面開口から突出する方向に、フック部材５０を回動させる。すると、フック部材５０の第１係合部５７が、ベース部材２０の第１保持突部３５に当接して第１枠状壁３３を撓ませると共に、この第１係合部５７が、第１保持突部３５を乗り越えて、第１回動規制部２３ａに係合すると、第１枠状壁３３が弾性復帰して、第１保持突部３５がクリック感を伴って第１係合部５７に嵌合し、第１保持突部３５と第１回動規制部２３ａとの間に第１係合部５７が挟み込まれる（図５参照）。
【００４７】
したがって、使用者は、フック部材５０の引掛け部５３が使用位置になったことを把握することができると共に、第１係合部５７が第１保持突部３５と第１回動規制部２３ａとの間に挟み込まれて保持されることで、フック部材５０のガタ付きを抑えた状態で、フック部材５０を使用状態に維持することができる。
【００４８】
そして、このフック装置１０においては、フック部材５０が回動して、引掛け部５３がベース部材２０の前面開口から突出したときに、フック部材５０の第１係合部５７が、肉厚を確保しやすく剛性を高く保持できる、周壁の両側辺部２３の第１回動規制部２３ａに係合すると共に、同周壁の両側辺部２３には、更にフック部材５０の回動部５１を回動支持する回動支持部を構成する孔部３１が設けられているため、フック部材５０からの回転モーメントを低く抑えることができ、その結果、引掛け部５３にかかる荷重に対する強度を高めることができる。
【００４９】
また、この実施形態においては、第１回動規制部２３ａ及び第２回動規制部２３ｂは、周壁の側辺部２３の、背面側の端面に設けられているので、フック部材５０にかかる荷重に対する強度をより高めることができる。
【００５０】
一方、フック部材５０を使用しない場合には、引掛け部５３がベース部材２０の背面側に収容される方向に、フック部材５０を回動させる。すると、フック部材５０の第２係合部５９が、ベース部材２０の第２保持突部３６に当接して第２枠状壁３４を撓ませると共に、この第２係合部５９が、第２保持突部３６を乗り越えて、側辺部２３の端面２３ｂに係合すると、第２枠状壁３４が弾性復帰して、第２保持突部３６がクリック感を伴って第２係合部５９に嵌合し、第２保持突部３６と側辺部２３の端面２３ｂとの間に第２係合部５９が挟み込まれる（図６参照）。
【００５１】
したがって、使用者は、フック部材５０の引掛け部５３が収容された位置になったことを把握することができると共に、第２係合部５９が第２保持突部３６と側辺部２３の端面２３ｂとの間に挟み込まれて保持されることで、フック部材５０のガタ付きを抑えた状態で、フック部材５０を収容状態に維持することができる。
【００５２】
そして、このフック装置１０においては、全体として枠状をなしたベース部材２０の背面側から突出した一対の突出壁部３０，３０に、フック部材５０の回動部５１を回動支持する孔部３１が設けられていると共に、引掛け部５３を、使用状態や収容状態に回動させる際に、クリック感を伴って嵌合させて保持する、第１枠状壁３３及び第１保持突部３５と、第２枠状壁３４及び第２保持突部３６とが設けられているので、ベース部材２０の厚さをできるだけ薄くして、フック装置１０全体のコンパクト化を図ることができる。
【００５３】
特にこの実施形態においては、図６に示すように、ベース部材２０は、周壁の内側に表面側から背面側に貫通する貫通孔２２を有し、フック部材５０が回動してベース部材２０の背面側に最大限突出した状態で、周壁の背面側への突出高さ、すなわち、突出壁部３０の高さＨが、フック部材５０よりも低くなるように構成されているので、フック装置１０の奥行方向の高さを薄くして、フック装置１０のコンパクト化を図ることができると共に、装置の構造を簡単にして、材料費も節減することができる。
【００５４】
また、この実施形態では、本発明における「第１保持部」及び「第２保持部」として、第１保持突部３５及び第２保持突部３６を有する構造となっている。すなわち、フック部材５０の第１係合部５７又は第２係合部５９がベース部材２０の背面側に係合したときに、第１保持突部３５又は第２保持突部３６と、ベース部材２０の背面側との間で、それぞれの係合部５７，５９を挟み込むようになっているので、比較的簡単な構造でクリック感を伴って保持できる構造にすることができる。また、ベース部材２０の背面側から突出する一対の突出壁部３０，３０の高さを低くすることができ、フック装置１０を更にコンパクトにすることができる。
【００５５】
更に、この実施形態では、本発明における「第１保持部」及び「第２保持部」は、抜き孔３３ａ，３４ａを介して弾性が付与された各枠状壁３３，３４に、第１保持突部３５又は第２保持突部３６を有する構造となっている。
【００５６】
これによれば、フック部材５０を回動させたときに、各枠状壁３３，３４の弾性を利用して、第１係合部５７又は第２係合部５９を、対応する第１保持突部３５又は第２保持突部３６を乗り越えさせて、第１保持突部３５又は第２保持突部３６と、ベース部材２０の背面側との間で挟み込む構造となっているので、クリック感がより明瞭に得られると共に、第１係合部５７又は第２係合部５９の、第１保持突部３５又は第２保持突部３６への嵌合をスムーズに行わせることができる。更に、各枠状壁３３，３４が撓む構造なので、第１係合部５７又は第２係合部５９が、第１保持突部３５又は第２保持突部３６を乗り越えるときに、それらが磨滅することを抑制して、フック部材５０の繰り返し使用に対する耐久性を向上させることができる。
【００５７】
また、ベース部材２０に設けられた孔部３１は、その背面３１ｃ側が広がった異形孔状をなしているが、その前面３１ａ側が、フック部材５０の軸部５５が適合する円弧状をなしているので、同軸部５５が孔部３１の前面３１ａ側にガイドされて、スムーズな回転を維持することができる。
【００５８】
更に、この実施形態では、フック部材５０の第１係合部５７は、第２係合部５９よりも長い形状をなすと共に、この第１係合部５７が、ベース部材２０の側辺部２３の、第２回動規制部２３ｂよりも長い、第１回動規制部２３ａに沿って係合するようになっているので、フック部材５０の引掛け部５３にかかる荷重に対する強度をより一層高めることができる。また、フック部材５０の第２係合部５９の長さを、第１係合部５７よりも短くして、ベース部材２０の長手方向に沿った長さをできるだけ短くし、フック装置１０をよりコンパクト化することができる。
【００５９】
図９及び図１０には、本発明に係るフック装置の、他の実施形態が示されている。なお、前記実施形態と実質的に同一部分には同符号を付してその説明を省略する。
【００６０】
この実施形態のフック装置１０ａは、ベース部材２０ａの構造が異なっている。すなわち、ベース部材２０ａのフランジ部２１の、対向する一対の長辺であって、その背面周縁から、一対の側辺部２３ｃ，２３ｃが対向して突出しており、該一対の側辺部２３ｃ，２３ｃの端面から一対の突出壁部３０，３０が突設されている（図１０参照）。また、前記一対の側辺部２３ｃ，２３ｃの間であって、フランジ部２１の一方の短辺の背面側から引掛け片２５が延出し、他方の短辺の背面側から係合片２７が延設されている（図１０参照）。
【００６１】
この実施形態では、フランジ部２１の背面の、一対の側辺部２３ｃ，２３ｃの間に、引掛け片２５や係合片２７が延設されているので、引掛け片２５や係合片２７の高さを低く抑えることができ、ベース部材２０が嵩張ることを抑制して、フック装置１０をよりコンパクトにすることができる。
【符号の説明】
【００６２】
１  被取付部材
３  取付孔
１０，１０ａ  フック装置
２０，２０ａ  ベース部材
２１  フランジ部
２２  貫通孔
２３  側辺部
２３ａ  第１回動規制部
２３ｂ  第２回動規制部
３０  突出壁部
３１  各孔部
３１ａ  前面
３２  傾斜面
３３  第１枠状壁
３４  第２枠状壁
３３ａ，３４ａ  抜き孔
３５  第１保持突部
３６  第２保持突部
５０  フック部材
５１  回動部
５３  引掛け部
５５  軸部
５７  第１係合部
５９  第２係合部
【図１】
0005970133.tif 000002
【図２】
0005970133.tif 000003
【図３】
0005970133.tif 000004
【図４】
0005970133.tif 000005
【図５】
0005970133.tif 000006
【図６】
0005970133.tif 000007
【図７】
0005970133.tif 000008
【図８】
0005970133.tif 000009
【図９】
0005970133.tif 000010
【図１０】
0005970133.tif 000011